(57)【要約】【課題】ユーザの情報通信端末に送信され表示される情報の量を一定数以下に制限しながらも、ユーザにとって意味の高い情報を表示させる情報通信端末を提供する。【解決手段】複数の情報通信端末のうち第１の情報通信端末への入力情報を第２の情報通信端末に送信する情報通信サーバに接続された第２の情報通信端末は、情報通信サーバから、第１の情報通信端末に入力された入力情報と、第１の情報通信端末に入力された入力情報が第２の情報通信端末に伝達される度合いを示す伝達強度値とを受信し、受信した伝達強度値と、予め記憶された伝達強度値の閾値とを比較し、伝達強度値が前記閾値を超えると判定した場合に、受信した前記入力情報を出力部に出力させる。【選択図】図１
2010033164.tif 000002
【特許請求の範囲】
【請求項１】
複数の情報通信端末のうち第１の情報通信端末に入力された入力情報を受信し、受信した前記入力情報を前記複数の情報通信端末のうち第２の情報通信端末に送信する情報通信サーバに接続された前記第２の情報通信端末であって、
前記情報通信サーバから、前記入力情報と、前記第１の情報通信端末に入力された入力情報が前記第２の情報通信端末に伝達される度合いを示す伝達強度値とを受信する入力情報受信部と、
前記入力情報を出力するか否かを定める前記伝達強度値の閾値が記憶される閾値記憶部と、
前記入力情報受信部が受信する前記伝達強度値と、前記閾値記憶部に記憶される前記閾値とを比較し、前記伝達強度値が前記閾値を超えるか否かを判定する判定部と、
前記判定部が、前記伝達強度値が前記閾値を超えると判定した場合に、前記入力情報受信部が受信した前記入力情報を、出力部に出力させる出力制御部と、
を備えることを特徴とする情報通信端末。
【請求項２】
前記入力情報受信部が受信する前記伝達強度値は、前記第１の情報通信端末に前記入力情報とともに入力された補正情報に応じて算出された伝達強度値であること
を特徴とする請求項１に記載の情報通信端末。
【請求項３】
複数の情報通信端末のうち第１の情報通信端末に入力された入力情報を受信し、受信した前記入力情報を前記複数の情報通信端末のうち第２の情報通信端末に送信する情報通信サーバであって、
前記第１の情報通信端末に入力された入力情報が前記第２の情報通信端末に伝達される度合いを示す伝達強度値が記憶される伝達強度値記憶部と、
前記第１の情報通信端末から受信する前記入力情報に、前記伝達強度値記憶部に当該第１の情報通信端末に対応付けられて記憶された前記伝達強度値を対応付けて前記第２の情報通信端末に送信する入力情報送信部と、
を備えることを特徴とする情報通信サーバ。
【請求項４】
前記入力情報送信部は、定められた数値範囲内の乱数を生成し、伝達強度値記憶部に記憶される前記伝達強度値に前記乱数を乗じた値を、前記入力情報に対応付ける
ことを特徴とする請求項３に記載の情報通信サーバ。
【請求項５】
連続する複数の点を示す情報が記憶される端点情報記憶部と、
前記第１の情報通信端末と前記第２の情報通信端末とを、前記端点情報記憶部に記憶された前記連続する複数の点のうちいずれかの点にそれぞれ対応付ける対応端点割り当て部と、
前記連続する複数の点のうち、前記第１の情報通信端末に対応付けられた前記点と、前記第２の情報通信端末に対応付けられた前記点との間に存在する前記点の数に応じて、前記第１の情報通信端末から受信する入力情報に対応付けられた前記伝達強度値を減算する伝達強度値算出部と、を備え、
前記入力情報送信部は、前記入力情報と、減算された前記伝達強度値とを、前記第２の情報通信端末に送信する
ことを特徴とする請求項３または請求項４に記載の情報通信サーバ。
【発明の詳細な説明】
【技術分野】
【０００１】
本発明は、ネットワークを介して複数のユーザ端末に接続された情報通信サーバが、特定のユーザ端末から送信されたコメント等の情報を他のユーザ端末に送信する情報通信端末および情報通信サーバに関する。
【背景技術】
【０００２】
従来、ネットワークを介して複数のユーザ端末に接続された情報配信サーバが、特定のユーザ端末から送信されたコメント等の情報を他のユーザ端末に送信して、複数ユーザのリアルタイムなコミュニケーションを可能とする情報通信システムが提供されている。このような情報通信システムには、例えば、テキスト情報のみの送受信を行うテキストチャットや、ストリーミング配信される動画に合わせてユーザ端末から入力されるコメントを、他のユーザ端末に表示される動画に重ねて表示させるような情報通信システムがある。このような情報通信システムは、情報通信サーバ単体の処理能力やネットワークの負荷には限界があるため、同時に接続可能なユーザ端末の台数が限られる。
【０００３】
そこで、それぞれのユーザ端末が物理的に接続する接続サーバを複数台設置して、処理負荷を分散させる技術が提案されている。例えば、特許文献１には、複数台のクライアント端末の接続を管理する複数の接続サーバ同士が互いに自身の配下のクライアント端末から送信されるテキスト情報を送受信することにより、異なる接続サーバに接続されるクライアント端末同士のチャットを行うことを可能とするＩＲＣ（Internet Relay Chat）の技術を用いたチャットシステムが提案されている。
【特許文献１】特開平１０−３３４０２１号公報
【発明の開示】
【発明が解決しようとする課題】
【０００４】
しかしながら、上述の技術により接続サーバの処理負荷を分散させ、大量のユーザ端末同士のチャットシステムを提供する場合にも、ユーザ端末側のハードウェア処理能力によっては、送信された大量のコメントの全てを表示する処理を行うことは困難であったり、受信したコメントを表示するまでの処理時間が長くなりユーザへのストレスとなったりする場合がある。また、ユーザ端末が大量のコメントを表示させる充分な処理能力を備える場合であっても、ユーザが大量のコメント等の情報を短時間に読むことは困難である。従って、ユーザにとって必要以上の情報はノイズとなる場合があり、大量のユーザ端末から送信される全ての情報を他の全てのユーザ端末に必ずしも出力させなくても良い場合がある。ここで、送信する情報を無作為に一定数以下に制限することや、ユーザ端末が接続された接続サーバによって送信する情報を制限することが考えられるが、このように一律に情報を制限する方法では、ユーザにとって意味のある情報を送信することはできない。
【０００５】
本発明は、このような状況に鑑みてなされたもので、ユーザの情報通信端末に送信され表示される情報の量を一定数以下に制限しながらも、ユーザにとって意味の高い情報を表示させる情報通信端末および情報通信サーバを提供する。
【課題を解決するための手段】
【０００６】
上述した課題を解決するために、本発明は、複数の情報通信端末のうち第１の情報通信端末に入力された入力情報を受信し、受信した入力情報を複数の情報通信端末のうち第２の情報通信端末に送信する情報通信サーバに接続された第２の情報通信端末であって、情報通信サーバから、入力情報と、第１の情報通信端末に入力された入力情報が第２の情報通信端末に伝達される度合いを示す伝達強度値とを受信する入力情報受信部と、入力情報を出力するか否かを定める伝達強度値の閾値が記憶される閾値記憶部と、入力情報受信部が受信する伝達強度値と、閾値記憶部に記憶される閾値とを比較し、伝達強度値が閾値を超えるか否かを判定する判定部と、判定部が、伝達強度値が閾値を超えると判定した場合に、入力情報受信部が受信した入力情報を、出力部に出力させる出力制御部と、を備えることを特徴とする。
【０００７】
また、本発明は、上述の入力情報受信部が受信する伝達強度値は、第１の情報通信端末に入力情報とともに入力された補正情報に応じて算出された伝達強度値であることを特徴とする。
【０００８】
また、本発明は、複数の情報通信端末のうち第１の情報通信端末に入力された入力情報を受信し、受信した入力情報を複数の情報通信端末のうち第２の情報通信端末に送信する情報通信サーバであって、第１の情報通信端末に入力された入力情報が第２の情報通信端末に伝達される度合いを示す伝達強度値記憶部と、第１の情報通信端末から受信する入力情報に、伝達強度値記憶部に第１の情報通信端末に対応付けられて記憶された伝達強度値を対応付けて第２の情報通信端末に送信する入力情報送信部と、を備えることを特徴とする。
【０００９】
また、本発明は、上述の入力情報送信部は、定められた数値範囲内の乱数を生成し、伝達強度値記憶部に記憶される伝達強度値に乱数を乗じた値を、入力情報に対応付けることを特徴とする。
【００１０】
また、本発明は、上述の情報通信サーバが、連続する複数の点を示す情報が記憶される端点情報記憶部と、第１の情報通信端末と第２の情報通信端末とを、端点情報記憶部に記憶された連続する複数の点のうちいずれかの点にそれぞれ対応付ける対応端点割り当て部と、連続する複数の点のうち、第１の情報通信端末に対応付けられた点と、第２の情報通信端末に対応付けられた点との間に存在する点の数に応じて、第１の情報通信端末から受信する入力情報に対応付けられた伝達強度値を減算する伝達強度値算出部と、を備え、入力情報送信部は、入力情報と、減算された伝達強度値とを、第２の情報通信端末に送信することを特徴とする。
【発明の効果】
【００１１】
以上説明したように、本発明によれば、複数の情報通信端末のうち第１の情報通信端末への入力情報を第２の情報通信端末に送信する情報通信サーバに接続された第２の情報通信端末は、情報通信サーバから、第１の情報通信端末に入力された入力情報と、第１の情報通信端末に入力された入力情報が第２の情報通信端末に伝達される度合いを示す伝達強度値とを受信し、受信した伝達強度値と、予め記憶された伝達強度値の閾値とを比較し、伝達強度値が前記閾値を超えると判定した場合に、受信した前記入力情報を出力部に出力させるようにしたので、受信する入力情報が入力された情報通信端末と自身との間で入力情報が伝達される度合いを示す伝達強度値に応じて、入力情報を出力するか否かを判定することができ、出力する入力情報を制限することが可能となる。
【００１２】
また、本発明によれば、入力情報とともに受信する伝達強度値は、第１の情報通信端末に入力情報とともに入力された補正情報に応じて算出された伝達強度値であることとしたので、第１の情報通信端末に入力される補正情報に応じて、受信する入力情報を出力するか否かを制限することが可能となる。これにより、例えば、第１の情報通信端末に入力された補正情報に応じて増加または減算された伝達強度値が入力情報に対応付けられて送信されるので、第１の情報通信端末に情報を入力したユーザの意向を考慮して入力情報の表示を制御することが可能となる。
【００１３】
また、本発明によれば、複数の情報通信端末のうち第１の情報通信端末への入力情報を第２の情報通信端末に送信する情報通信サーバが、第１の情報通信端末から受信する入力情報に、第１の情報通信端末に入力された入力情報が第２の情報通信端末に伝達される度合いを示す伝達強度値を対応付けて第２の情報通信端末に送信するようにしたので、第２の情報通信端末に、入力情報が入力された第１の情報通信端末との間で入力情報が伝達される度合いを示す伝達強度値を送信することが可能となる。
【００１４】
また、本発明によれば、入力情報に、定められた数値範囲内の乱数を乗じた伝達強度値を対応付けて送信するようにしたので、入力情報が表示される情報通信端末の範囲を不規則に変更させることができる。このように伝達強度値にゆらぎを持たせることにより、表示される入力情報を単調なものとせず、変化に富んだ入力情報を表示させることを可能とする。
【００１５】
また、本発明によれば、第１の情報通信端末と第２の情報通信端末とを、連続する複数の点を示す情報に含まれる点のうちいずれかの点にそれぞれ対応付け、第１の情報通信端末に対応付けられた点と、第２の情報通信端末に対応付けられた点との間に存在する点の数に応じて、第１の情報通信端末から受信する入力情報に対応付けられた伝達強度値を減算し、第２の情報通信端末に送信するようにしたので、点の数によって表される第１の情報通信端末と第２の情報通信端末との間で入力情報が伝達される度合いを示す伝達強度値を送信することが可能となる。
【発明を実施するための最良の形態】
【００１６】
以下、本発明の一実施形態について、図面を参照して説明する。
図１は、本実施形態による情報通信システム１の構成を示す図である。情報通信システム１は、ユーザ端末１００−１、ユーザ端末１００−２、ユーザ端末１００−３、ユーザ端末１００−４、ユーザ端末１００−５、・・・と、接続サーバ２００−１、接続サーバ２００−２、接続サーバ２００−３、・・・と、交換サーバ３００と、動画配信サーバ４００とを備えおり、これらがネットワーク５００を介して接続されている。ここで、ユーザ端末１００−１と、ユーザ端末１００−２と、ユーザ端末１００−３と、ユーザ端末１００−４と、ユーザ端末１００−５、・・・とは同様の構成であり、個別に説明する必要がない場合には、ユーザ端末１００として説明する。また、接続サーバ２００−１と、接続サーバ２００−２と、接続サーバ２００−３、・・・とは同様の構成であり、個別に説明する必要がない場合には、接続サーバ２００として説明する。なお、ここでは５台のユーザ端末１００と、３台の接続サーバ２００と、１台の交換サーバ３００と、１台の動画配信サーバ４００とのコンピュータ装置を図示しているが、ネットワーク環境やそれぞれに適用するコンピュータ装置のマシンスペックなどに応じて、それぞれ任意の台数を適用して良い。
【００１７】
まず、本実施形態における情報通信システム１によって提供されるコミュニケーションシステムの概要を説明する。情報通信システム１では、動画配信サーバ４００が、ネットワーク５００を介して接続された複数のユーザ端末１００からの要求に応じて、ユーザ端末１００に動画をストリーミング配信する。ユーザ端末１００は、動画配信サーバ４００から配信される動画を表示画面に表示し、ユーザからの動画に対するコメントの入力を受付ける。ユーザ端末１００に入力されたコメントは、ユーザ端末１００に対応する接続サーバ２００に送信される。接続サーバ２００が、自身に属するユーザ端末１００からコメントを受信すると、交換サーバ３００は接続サーバ２００が受信したコメントの送信先を判定し、コメントの送信先のユーザ端末１００が属する接続サーバ２００にコメントの送信要求を行う。接続サーバ２００は、自身の配下のユーザ端末１００にコメントを送信し、ユーザ端末１００は、接続サーバ２００から受信するコメントを、動画配信サーバ４００から受信する動画に重ねて表示する。
【００１８】
ユーザ端末１００には、図２に示されるように、動画配信サーバ４００から配信される動画と、他のユーザ端末１００から送信されたコメントとが重ね合わせて表示される。ここでは、送信されたコメントは、動画上の右から左に流れるようにスクロールして表示される。これにより、ユーザ端末１００のユーザは、動画を視聴しながら、動画の内容に応じて入力するテキスト情報を他のユーザと共有することが可能となる。このように、本実施形態の情報通信システム１は、大量のユーザ端末１００の同時接続および同時コメント送信を可能とする大規模なコミュニケーションシステムを提供する。
【００１９】
図３は、本実施形態によるユーザ端末１００と、接続サーバ２００と、交換サーバ３００との構成を示すブロック図である。ここで、接続サーバ２００は、自身の配下に対応付けられた複数台のユーザ端末１００に接続され、接続された複数台のユーザ端末１００の接続の物理的な管理を行う。一方、交換サーバ３００は、複数台のユーザ端末１００の接続の論理的な管理を行う。このような構成により、交換サーバ３００が全てのユーザ端末１００の接続状態の論理的な管理を行いながらも、複数台の接続サーバ２００がユーザ端末１００の物理的な接続状態の管理を分散して行うことで、大量のユーザ端末１００の制御負荷を効率良く分散させ、大規模なコミュニケーションシステムを提供することができる。
【００２０】
まず、交換サーバ３００について詳細に説明する。交換サーバ３００は、複数の接続サーバ２００の配下にあるユーザ端末１００とユーザ端末１００との間の情報の送受信先を制御するコンピュータサーバ装置であり、伝達強度値算出部３１０と、端点情報記憶部３２０と、送受信部３３０と、サーバ端点記憶部３４０とを備えている。
【００２１】
端点情報記憶部３２０には、ユーザ端末１００の擬似的な接続位置を定めるノードを示す端点情報が記憶される。端点情報には、連続する複数のノードを示す情報が含まれる。図４に、端点情報によって表されるパネルの概念を示す。本実施形態における概念であるパネルには、複数の端点と、複数の中継ノードとのノードが含まれる。端点は、情報通信システム１によって提供されるコミュニケーションシステムに参加するユーザ端末１００のコミュニケーションシステムにおける論理的な接続位置を表すノードであり、それぞれのユーザ端末１００は、パネル情報に含まれるいずれかの端点に対応付けられる。中継ノードは、端点と端点との間に設けられ、ユーザ端末１００が対応付けられないノードである。端点と端点との間に中継ノードが挿入されることにより、その端点と端点との間に論理的な距離を挿入できる。
【００２２】
図４の破線内に示されるように、例えば、パネルには、端点Ａと、端点Ｂと、端点Ｃと、端点Ｄと、端点Ｅと、端点Ｆとの端点が配置される。また、端点Ａと端点Ｃと端点Ｂとの間に中継ノードａが、端点Ｂと端点Ｅとの間に中継ノードｂが、中継ノードｂと端点Ｄとの間に中継ノードｃが、端点Ｅと端点Ｆとの間に中継ノードｄが、それぞれ配置される。このように、パネルに含まれる端点および中継ノードには、それぞれ他の端点または他の中継ノードとの論理的な接続関係が予め定められている。複数のユーザ端末１００は、このようなパネルに含まれるいずれかの端点にそれぞれ対応付けられることによりコミュニケーション空間における論理的な接続位置が定められる。図４の例では、端点ＡにユーザＸが、端点ＣにユーザＹが、端点ＢにユーザＶが、端点ＥにユーザＷが、端点ＦにユーザＺが、それぞれ対応付けられている。ユーザは、自身が対応付けられる端点から、別の端点に移動することが可能であり、例えば、端点Ｆに対応付けられたユーザＺは、ユーザ端末１００への操作情報の入力することにより、端点Ｄに移動することが可能である。このようにして、ユーザは、例えば自身のコミュニケーション空間の中で、自身の関心のある話題が行われている接続位置に向かって移動して近づくようにすることができる。
【００２３】
図５は、図４に示したパネルに対応する端点情報のデータ例を示す図である。端点情報には、パネルに含まれる端点と、他の端点との距離を表す伝達強度値減算値とが対応付けられる。伝達強度値とは、端点に対応付けられたユーザ端末１００からコメントが送信された場合に接続サーバ２００によって付与され、そのコメントが他のユーザ端末１００に出力されるか否かを示す指標となる数値情報である。伝達強度値は、ユーザ端末１００に入力された入力情報が他のユーザ端末１００に伝達される度合いを示している。以下、コメントを送信したユーザ端末１００が属する端点を入力端点とし、送信されたコメントの送信先となるユーザ端末１００が属する端点を出力端点として説明する。ある入力端点に入力されたコメントが、他の端点に出力されるか否かは、入力端点と出力端点との間の端点または中継ノードの数に応じて定められる。
【００２４】
例えば、図４に示されるように、入力端点となる端点Ａと、出力端点となる端点Ｂとの間には、中継ノードａが存在しており、端点Ａと端点Ｂとは３ノードの距離があることが表される。従って、図５に示されるように、端点Ａと端点Ｂとの間の伝達強度値減算値を−３とする。同様に、端点Ａと端点Ｃとの伝達強度値減算値には−３が、端点Ａと端点Ｄとの伝達強度値減算値には−６が、端点Ａと端点Ｅとの伝達強度値減算値には−５が、端点Ａと端点Ｆとの伝達強度値減算値には−７が、それぞれ対応付けられる。
【００２５】
図３に戻り、送受信部３３０は、接続サーバ２００に対し情報の送受信を行う。例えば、送受信部３３０は、ユーザ端末１００から接続サーバ２００にコメントが送信されると、接続サーバ２００から、コメントを送信したユーザ端末１００が属する入力端点を識別する入力端点ＩＤと、入力されたコメントに対して接続サーバ２００によって付与されるコメントＩＤと、伝達強度値とを受信する。
【００２６】
サーバ端点記憶部３４０には、複数の接続サーバ２００のそれぞれを識別する接続サーバＩＤに対応付けて、その接続サーバ２００が管理する端点を識別する端点ＩＤが記憶される。図６は、サーバ端点記憶部３４０に記憶される接続サーバＩＤと端点ＩＤとの対応情報のデータ例を示す図である。ここでは、接続サーバ２００−１に端点Ａが、接続サーバ２００−２に端点Ｂが、接続サーバ２００−３に端点Ｃがそれぞれ対応付けられたデータ例が示されている。このように、本実施形態では、説明を簡潔に行うために一台の接続サーバ２００に１個の端点が対応付けられた例を説明するが、複数の接続サーバ２００によって１個の端点が管理され、対応付けられるようにしても良い。
【００２７】
伝達強度値算出部３１０は、送受信部３３０が接続サーバ２００から入力端点ＩＤとコメントＩＤと伝達強度値との情報を受信すると、受信した情報と、端点情報記憶部３２０に記憶されたパネルの端点情報とに基づいて、伝達強度値を減算する処理を行う。例えば、入力端点Ａに属するユーザＸのユーザ端末１００から接続サーバ２００にコメントが送信され、接続サーバ２００によってコメントに伝達強度値として「５」が付与された場合、伝達強度値算出部３１０は、図５に記憶された端点情報を参照して、出力端点Ｂに対しては５から３を減算して２を、出力端点Ｃに対しては５から３を減算して２を、出力端点Ｄに対しては５から６を減算して−１を、出力端点Ｅに対しては５から５を減算して０を、出力端点Ｆに対しては５から７を減算して−２を、それぞれ算出する。
【００２８】
伝達強度値送信部３５０は、伝達強度値算出部３１０が算出した伝達強度値と、コメントＩＤと、出力端点ＩＤとの情報を、送受信部３３０を介して接続サーバ２００に送信する。この際、伝達強度値送信部３５０は、伝達強度値算出部３１０が算出した伝達強度値が、定められた閾値（例えば、０）以下となった出力端点に対応する接続サーバ２００には、情報を送信しないこととしても良い。例えば、上述の例のように、端点Ａに属する端末ユーザ端末１００から伝達強度値「５」のコメントが送信された場合は、伝達強度値算出部３１０によって、出力端点Ｄに対する伝達強度値が−１、出力端点Ｅに対する伝達強度値が０、出力端点Ｆに対する伝達強度値が−２として算出されており、この３点に対応する接続サーバ２００には情報を送信しない。この場合、伝達強度値送信部３５０は、サーバ端点記憶部３４０に記憶された対応情報を読み出して、情報の送信対象である出力端点Ｂと出力端点Ｃとのそれぞれに対応する接続サーバＩＤのみを検出し、検出した接続サーバＩＤに対応する接続サーバ２００にのみ情報送信を行う。
【００２９】
接続サーバ２００は、複数のユーザ端末１００と情報通信を行うコンピュータサーバ装置である。接続サーバ２００は、ユーザ端点記憶部２１０と、対応端点割り当て部２２０と、伝達強度値記憶部２３０と、コメント記憶部２４０と、コメント送信部２５０と、送受信部２６０とを備えている。
送受信部２６０は、交換サーバ３００との情報の送受信と、複数のユーザ端末１００との情報の送受信とを行う。
【００３０】
対応端点割り当て部２２０は、送受信部２６０が、ユーザ端末１００からユーザ端末１００のユーザＩＤが含まれる接続要求を受信すると、受信したユーザＩＤのコミュニケーションシステムへの接続を許可するか否かを判定する認証処理を行う。ここでは、例えば、動画配信サーバ４００が提供する動画配信サービスと同様のユーザＩＤにより認証を行う。対応端点割り当て部２２０は、ユーザの認証を行い、接続許可と判定すると、接続要求に含まれるユーザ端末１００のユーザＩＤと、交換サーバ３００の端点情報記憶部３２０に記憶される複数の端点のうち、いずれかの端点とを対応付けた対応情報をユーザ端点記憶部２１０に記憶させる。ここで、ユーザＩＤに対応付ける端点は、それぞれの端点に属するユーザ端末１００の数に応じて、ユーザ端末１００を分散させるように割り当てても良いし、予め定められた端点を対応付けても良い。また、図４の破線内に示したようなパネルを示す画像をユーザに閲覧させ、いずれの端点に属するかをユーザに選択させるようにしても良い。
【００３１】
ユーザ端点記憶部２１０には、複数の端点のうちいずれかの端点を識別する端点ＩＤと、その端点に属するユーザを識別するユーザＩＤとが対応付けられて記憶される。図７は、ユーザ端点記憶部２１０に記憶されるデータ例を示す図である。ここでは、端点ＩＤ「Ａ」と、ユーザＩＤ「Ｘ」とが対応付けられて記憶されており、端点ＡにはユーザＸが属することを表している。接続サーバ２００のユーザ端点記憶部２１０には、複数の端点ＩＤのそれぞれに複数のユーザＩＤが対応付けられた情報が記憶されることとして良いが、本実施形態では、一台の接続サーバ２００のユーザ端点記憶部２１０には単一の端点に対応付けられたユーザＩＤが記憶されることとして説明する。本実施形態では、接続サーバ２００−１には端点ＩＤ「Ａ」に対応付けられたユーザＩＤが記憶され、接続サーバ２００−２には端点ＩＤ「Ｂ」のユーザＩＤが、接続サーバ２００−３には端点ＩＤ「Ｃ」のユーザＩＤが記憶されることとして説明する。
【００３２】
伝達強度値記憶部２３０には、ユーザＩＤと、そのユーザＩＤに対応するユーザ端末１００から送信されるコメントに付与する伝達強度値が対応付けられて記憶されている。図８は、伝達強度値記憶部２３０に記憶されるデータ例を示す図である。ここでは、ユーザＩＤ「Ｘ」と、伝達強度値「５」とが対応付けられて記憶されており、ユーザＩＤ「Ｘ」のユーザ端末１００から送信されたコメントには、伝達強度値「５」を付与することが表されている。ここでは、複数のユーザに同一の伝達強度値を対応付けても良いし、ユーザごとに異なる伝達強度値を記憶させるようにしても良い。また、特定のユーザにのみ大きい伝達強度値を対応付けるようにしても良い。例えば、動画配信サーバのユーザＩＤと連携させたコミュニケーションシステムを構成する場合には、動画配信サーバにおけるユーザ属性などに応じて、異なる伝達強度を対応付けるようにすることができる。
【００３３】
コメント記憶部２４０には、送受信部２６０がユーザ端末１００から受信するコメントと、そのコメントを識別するコメントＩＤとが記憶される。図９は、コメント記憶部２４０に記憶されるデータ例を示す図である。また、コメント記憶部２４０には、接続サーバ２００がユーザ端末１００からコメントを受信した日時などの情報を対応付けて記憶させるようにしても良い。
【００３４】
コメント送信部２５０は、送受信部２６０がユーザ端末１００からコメントを受信すると、コメントの送信元であるユーザ端末１００のユーザＩＤに対応する伝達強度値を、伝達強度値記憶部２３０から読み出し、読み出した伝達強度値をコメントに付与して対応付ける。ここで、コメント送信部２５０は、コメントに伝達強度値を付与する際には、例えば０．５から１．５の範囲内での乱数を生成し、生成した乱数に伝達強度値を乗じた値を伝達強度値として算出してコメントに付与するようにしても良い。このように乱数に基づいて伝達強度値を補正し、コメントに付与する伝達強度値に不規則な揺らぎをもたせることで、コメントが表示される他のユーザ端末１００の範囲を不規則に変更させ、コメントの到達範囲に適度な変化のあるコミュニケーションシステムを提供することが可能となる。
【００３５】
また、コメント送信部２５０は、交換サーバ３００から、コメントＩＤと、伝達強度値と、出力端点ＩＤとの情報を受信すると、受信した出力端点ＩＤに対応するユーザＩＤをユーザ端点記憶部２１０から読み出し、読み出したユーザＩＤに対応するユーザ端末１００に情報を送信する。この際、コメント送信部２５０は、コメントの伝達強度値が予め定めた値よりも小さいときは、ユーザ端末１００にはコメントを送信しないようにしても良い。このように、接続サーバ２００においても伝達強度値に応じてコメントを送信するか否かを判定することで、ネットワーク負荷や、ユーザ端末１００によるコメント判定のための処理負荷を低減することができる。特に、大量のコメントが一時に発生した場合などには、トラフィック削減の方法としても有効である。
【００３６】
また、本実施形態では、複数の接続サーバ２００がそれぞれ異なるユーザ端末１００からコメントを受信して記憶しており、交換サーバ３００にはコメントＩＤのみが送信される。このため、コメントの実体情報であるテキスト情報が記憶されるコメント記憶部２４０を備える接続サーバ２００は、コメントを送信したユーザ端末１００が属する接続サーバ２００のみであり、出力端点に対応する接続サーバ２００にはコメントの実体情報が記憶されていない場合がある。この場合、コメント送信部２５０は、交換サーバ３００から受信するコメントＩＤに対応するコメントの実体情報が記憶される他の接続サーバ２００にコメントの要求を行い、受信する。
【００３７】
ユーザ端末１００は、ユーザに利用され、ネットワークを介して他の情報機器と情報通信を行う情報端末である。ユーザ端末１００は、本実施形態ではＰＣ（パーソナルコンピュータ）である場合について説明するが、ＰＤＡ（Personal Digital Assistant）、携帯電話端末などのコンピュータ端末が適用できる。また、本実施形態では、ユーザ端末１００は、予めインストールされ動作するインターネットブラウザの機能により、接続サーバ２００との情報の送受信を行うこととして説明するが、専用のクライアントソフトなどにより接続サーバ２００に接続するようにしても良い。本実施形態の例では、ユーザ端末１００−１は、ユーザＩＤ「Ｘ」のユーザにより利用される。ユーザ端末１００−２は、ユーザＩＤ「Ｙ」のユーザにより利用される。ユーザ端末１００−３は、ユーザＩＤ「Ｚ」のユーザにより利用される。ユーザ端末１００−４は、ユーザＩＤ「Ｖ」のユーザにより利用される。ユーザ端末１００−５は、ユーザＩＤ「Ｗ」のユーザにより利用される。
【００３８】
ユーザ端末１００は、入力部１１０と、送受信部１２０と、判定部１３０と、出力制御部１４０と、出力部１５０と、閾値記憶部１６０と、接続要求部１７０と、コメント送信部１８０とを備えている。
送受信部１２０は、接続サーバ２００との情報の送受信を行う。また、送受信部１２０は、接続サーバ２００から送信されるコメントおよび伝達強度値や、動画配信サーバ４００からストリーミング配信される動画情報を受信する。
入力部１１０は、ユーザからの入力情報、操作情報の入力を受付ける入力デバイスであり、例えば、キーボードやマウスなどが適用できる。
出力部１５０は、送受信部１２０が動画配信サーバ４００から受信する情報を出力する出力デバイスであり、動画情報やコメント情報などを表示するディスプレイである。
【００３９】
接続要求部１７０は、入力部１１０に入力されるユーザからの操作情報に応じてコミュニケーションシステムへの接続要求を行う。接続要求部１７０は、自身のユーザＩＤが含まれる接続要求を、送受信部１２０を介して接続サーバ２００に送信する。ここで、例えば、接続要求部１７０は、インターネットブラウザの機能により動画配信サーバ４００の動画配信サービスに既にログインしている場合には、ユーザ端末１００に動画配信サービスに対応付けられて記憶されているクッキーに含まれる情報を利用して、自身に対応するユーザＩＤを接続サーバ２００に送信することができる。
【００４０】
コメント送信部１８０は、動画配信サーバ４００から配信され出力部１５０に表示される動画に応じて、ユーザから入力部１１０にコメントが入力されると、入力されたコメントを、送受信部１２０を介して接続サーバ２００に送信する。ここで、コメント送信部１８０がコメントを送信する際には、コメントに対する伝達強度値を補正することを示す補正情報を付加するようにしても良い。ここで、補正情報とは、ユーザからの入力情報に応じて伝達強度値を増減させる情報であり、例えば、コメントを「大声」または「小声」で送信するなどの情報の入力を入力部１１０が受付ける場合、「大声」または「小声」のいずれかを示す情報である。この場合、コメント送信部１８０から送信されるコメントとともに補正情報を受信した接続サーバ２００は、補正情報が「大声」であれば伝達強度値を大きくする補正を行い、補正情報が「小声」であれば伝達強度値を小さくする補正を行う。例えば、「大声」であれば定められた１以上の数を伝達強度値に乗じるようにしても良いし、「小声」であれば定められた１以下の数を伝達強度値に乗じるようにしても良い。
【００４１】
閾値記憶部１６０には、接続サーバ２００から受信するコメントを、出力部１５０に出力するか否かを定める伝達強度値の閾値（例えば、０）が記憶される。
判定部１３０は、送受信部１２０が、接続サーバ２００からコメントとともに受信する伝達強度値と、閾値記憶部１６０に記憶される閾値とを比較し、伝達強度値が閾値を超えるか否かを判定する。
【００４２】
出力制御部１４０は、判定部１３０が、伝達強度値が閾値を超えると判定した場合に、送受信部１２０が受信したコメントを出力部１５０に出力させる。また、出力制御部１４０は、伝達強度値が閾値を下回るコメントであっても、出力部１５０に表示させているコメント数が定められたコメント数を下回る場合には、伝達強度値に関わらず出力部１５０に表示させるようにしても良い。また、例えば、ユーザ端末１００から送信された時間が新しいコメントを優先して、出力部１５０に表示させるようにしても良い。
【００４３】
次に、図１０および図１１を参照して、情報通信システム１の動作例を説明する。
まず、ユーザ端末１００−４の接続要求部１７０−４は、ユーザＶにより入力部１１０−４に入力される操作情報に応じて、自身に対応する接続サーバ２００−２に、送受信部１２０−４を介して自身のユーザＩＤ「Ｖ」が含まれる接続要求を送信する（ステップＳ１）。接続サーバ２００−２の送受信部２６０−２が、ユーザ端末１００−４から送信される接続要求を受信すると、対応端点割り当て部２２０−２は、受信した接続要求からユーザＩＤ「Ｖ」を読み出し、読み出したユーザＩＤ「Ｖ」の認証を行う。対応端点割り当て部２２０−２は、ユーザＩＤ「Ｖ」のコミュニケーションシステムへの接続を許可すると判定すると、ユーザＩＤ「Ｖ」と定められた端点ＩＤ「Ｂ」とを対応付けてユーザ端点記憶部２１０−２に記憶させる（ステップＳ２）。
【００４４】
そして、接続サーバ２００−２の送受信部２６０−２は、接続許可を示す情報をユーザ端末１００−４に送信する（ステップＳ３）。ユーザ端末１００−４は、接続許可を受信すると、動画配信サーバ４００からストリーミング配信される動画の受信を開始し、受信した動画を出力部１５０−４に表示させる。同様に、ユーザＸに利用されるユーザ端末１００−１は、自身に対応する接続サーバ２００−１にユーザＩＤ「Ｘ」が含まれる接続要求を送信し（ステップＳ４）、接続サーバ２００−１は、接続要求から読み出したユーザ端末１００−１に対応するユーザＩＤ「Ｘ」と定められた端点ＩＤ「Ａ」とを対応付けてユーザ端点記憶部２１０−１に記憶し（ステップＳ５）、ユーザ端末１００−１に接続許可を送信する（ステップＳ６）。ユーザ端末１００−１は、接続許可を受信すると、動画配信サーバ４００からストリーミング配信される動画の受信を開始し、受信した動画を出力部１５０−１に表示させる。
【００４５】
ユーザ端末１００−１の出力部１５０−１に動画が表示されると、ユーザ端末１００−１の入力部１１０−１は、ユーザからのコメント入力を受付ける。ユーザ端末１００−１のコメント送信部１８０−１は、入力部１１０−１にコメント「おいしそう〜！」が入力されると、入力されたコメント「おいしそう〜！」と、自身のユーザＩＤ「Ｘ」とを、自身が属する接続サーバ２００−１に送信する（ステップＳ７）。接続サーバ２００−１の送受信部２６０−１が、ユーザ端末１００−１から送信されるコメント「おいしそう〜！」とユーザＩＤ「Ｘ」とを受信すると、受信したコメント「おいしそう〜！」にコメントＩＤ「Ｃ１」を付与し、コメントＩＤ「Ｃ１」とコメント「おいしそう〜！」とを対応付けてコメント記憶部２４０−１に記憶させる。
【００４６】
接続サーバ２００−１のコメント送信部２５０−１は、ユーザ端末１００−１から受信したユーザＩＤ「Ｘ」に対応する伝達強度値を、伝達強度値記憶部２３０から読み出す。ここでは、読み出した伝達強度値は「５」であるとする。また、接続サーバ２００−１のコメント送信部２５０−１は、ユーザ端末１００−１から受信したユーザＩＤ「Ｘ」に対応する端点ＩＤ「Ａ」をユーザ端点記憶部２１０から読み出し、入力端点ＩＤ「Ａ」とする。コメント送信部２５０−１は、コメントＩＤ「Ｃ１」と、入力端点ＩＤ「Ａ」と、伝達強度値「５」とを、交換サーバ３００に送信する（ステップＳ９）。
【００４７】
交換サーバ３００の送受信部３３０が、接続サーバ２００−１からコメントＩＤ「Ｃ１」と、入力端点ＩＤ「Ａ」と、伝達強度値「５」との情報を受信すると、伝達強度値算出部３１０は、受信した情報と端点情報記憶部３２０に記憶された端点情報とに基づいて、入力されたコメントの出力端点を判定し、それぞれの出力端点の伝達強度値を算出する（ステップＳ１０）。ここでは、上述のように、算出後の伝達強度値が０以下となる出力端点はコメントの送信対象としないこととし、端点「Ａ」と端点「Ｂ」と端点「Ｃ」とが出力端点ＩＤとして判定される。
【００４８】
交換サーバ３００の伝達強度値送信部３５０は、ステップＳ１０で算出した出力端点ＩＤ「Ａ」に対応する接続サーバＩＤ「接続サーバ２００−１」と、出力端点ＩＤ「Ｂ」に対応する接続サーバＩＤ「接続サーバ２００−２」とを、サーバ端点記憶部３４０から読み出す。そして、伝達強度値送信部３５０は、読み出した接続サーバＩＤ「Ｂ」に対応する接続サーバ２００−２に、ステップＳ９で接続サーバ２００−１から受信したコメントＩＤ「Ｃ１」と、ステップＳ１０で判定した出力端点ＩＤ「Ｂ」と、出力端点ＩＤ「Ｂ」について算出した伝達強度値「２」とを送信する（ステップＳ１１）。また、伝達強度値送信部３５０は、読み出した接続サーバＩＤ「Ａ」に対応する接続サーバ２００−１に、ステップＳ９で接続サーバ２００−１から受信したコメントＩＤ「Ｃ１」と、ステップＳ１０で判定した出力端点ＩＤ「Ａ」と、出力端点ＩＤ「Ａ」について算出した伝達強度値「５」とを送信する（ステップＳ１２）。
【００４９】
接続サーバ２００−１と、接続サーバ２００−２とは、それぞれ交換サーバ３００から送信されたコメントＩＤ「Ｃ１」と、出力端点ＩＤと、伝達強度値とを受信する。接続サーバ２００−１のコメント送信部２５０−１は、ステップＳ８で、コメント記憶部２４０−１にコメントＩＤ「Ｃ１」に対応するコメント「おいしそう〜！」が記憶されているため（ステップＳ１３：ＹＥＳ）、コメント記憶部２４０−１からコメント「おいしそう〜！」を読み出し、ユーザ端末１００−１に送信する（ステップＳ１６）。ユーザ端末１００−１の送受信部１２０−１が、接続サーバ２００−１からコメントと伝達強度値とを受信すると、判定部１３０−１は、受信した伝達強度値と、閾値記憶部１６０−１に記憶された閾値とを比較する。判定部１３０−１が、受信した伝達強度値が閾値を超えると判定すると、出力制御部１４０−１は、コメント「おいしそう〜！」を出力部１５０−１に出力させる（ステップＳ１７）。
【００５０】
一方、接続サーバ２００−２のコメント記憶部２４０−２には、コメントＩＤ「Ｃ１」に対応するコメントは記憶されていないため（ステップＳ１４：ＮＯ）、接続サーバ２００−２のコメント送信部２５０−２は、接続サーバ２００−１に、コメントＩＤ「Ｃ１」に対応するコメント情報を要求する（ステップＳ１５）。接続サーバ２００−１のコメント送信部２５０−１は、コメント記憶部２４０−１からコメントＩＤ「Ｃ１」に対応するコメント「おいしそう〜！」を読み出し、接続サーバ２００−２に送信する。接続サーバ２００−２は、接続サーバ２００−１から送信されるコメントを受信すると、受信したコメントと、ステップＳ１１で交換サーバ３００から受信した伝達強度値とを、ユーザ端末１００−４に送信する（ステップＳ１８）。ユーザ端末１００−４の送受信部１２０−４は、接続サーバ２００−２から送信されるコメントと伝達強度値を受信すると、受信した伝達強度値に応じてコメントを出力部１５０−４に出力させる（ステップＳ１６）。
上述した構成によれば、ユーザの情報通信端末に送信され表示される情報の量を一定数以下に制限しながらも、ユーザにとって意味のある情報を表示させることが可能となる。
【００５１】
なお、本実施形態では、接続サーバ２００の伝達強度値記憶部２３０が、ユーザＩＤに対応する伝達強度値を記憶し、ユーザ端末１００からコメントを受信すると、コメントを送信したユーザ端末１００のユーザＩＤに対応する伝達強度値を対応付けることとしたが、ユーザ端末１００がそれぞれに自身の伝達強度値を記憶し、コメントと伝達強度値とを接続サーバ２００に送信する構成としても良い。
【００５２】
また、図１２に示されるように、ユーザのうちに演者となるユーザを定め、演者に対応するユーザ端末１００から入力されるコメントは、伝達強度値に関わらず他の全てのユーザ端末１００に伝達され表示されるようにしても良い。この場合、参加者が参加する端点を含むパネルに加えて、演者と他の端点とを接続するパネルに対応する端点情報を端点情報記憶部３２０に記憶させるようにしても良い。また、この場合、演者が指定した特定のユーザ端末１００から送信されるコメントは、一時的に演者と同様の別経路により、全てのユーザ端末１００に到達するようにしても良い。
例えば、図１３は、擬似的なライブ会場においてこのような演者を設けたコミュニケーションシステムの概念を示す図である。ここでは、ライブ会場における演者を定め、会場の客席を、端点と中継ノードとで構成したパネルに対応する端点情報を端点情報記憶部３２０に記憶させる。
【００５３】
また、本発明は、図１４に示されるような大人数の会議システムに適用することができる。中心に位置する中継ノードに隣接する点として、タグに対応付けられた端点が設けられる。そして、ユーザは、タグに表されるいずれかの端点または複数の端点に参加することで、大人数での会議を行うことが可能となる。ここでは、例えば、「好きな色はなんですか」との議題に対して、「赤」の端点、「青」の端点、「黄」の端点、「緑」の端点などを設ける。ユーザは、いずれかの好みの色の端点に属してコミュニケーションを行う。この場合、例えば、「赤」と「青」とのいずれもが好きなユーザに対しては、「赤」に７０％、「青」に３０％の優先度を定め、定めた優先度に応じてコメントの伝達範囲が変化するようにしても良い。ユーザは、端点ごとの優先度を変更したり、事後的に自身が属する端点から他の端点に移動できるようにしても良い。このような場合にも、上述のような揺らぎを伝達強度値に持たせることで、ユーザは自身が属する端点とは他の端点における議論の内容も自身に届く場合があるようになるため、定められた議論のみを行うよりも多彩な議論を行うことを可能とする会議システムを提供することが可能となる。
【００５４】
また、本実施形態では、入力情報と、入力情報に対応して出力部１５０から出力される情報とはテキスト情報であることとしたが、入力情報および出力情報には、テキスト情報の他、音声情報、動画情報などを適用しても良い。この際、入力情報を音声情報とする場合には、入力情報を出力する出力部としてスピーカなどの音声出力装置が適用できる。
また、ユーザ端末１００の出力制御部１４０は、接続サーバ２００から受信して出力するコメントに対応付けられた伝達強度値の大きさに応じて、出力制御部１４０に出力するコメントを変化させるようにしても良い。例えば、コメントに対応付けられた伝達強度値が定められた閾値よりも小さい場合には、そのコメントを表示させる字を小さくしたり、または薄くしたりして表示させるようにしても良い。一方、コメントに対応付けられた伝達強度値が定められた閾値よりも充分に大きい場合には、そのコメントを表示させる字を大きくしたり、または濃くしたりして表示させるようにしても良い。ここで、入力情報を音声情報とする場合には、伝達強度値の大きさに応じて出力する音量を変化させるようにしても良い。あるいは、入力情報が動画情報である場合には、伝達強度値の大きさに応じて、例えば伝達強度値が小さければ入力された動画情報にノイズを入れた動画を背景の画像に重ねて表示するようにしても良い。このノイズは、画像の一部が加工されたものであれば良く、例えば、スノーノイズ、ゴーストノイズ、サンドストーム（砂嵐）や、背景の画像が透けて見えるように半透明に表示するようにしても良い。
【００５５】
また、本実施形態では、入力情報の伝達方向は双方向であるとして説明したが、片方向にのみ伝達する構成としても良い。
また、ユーザ端末１００の出力部１５０に出力されるコメントは、例えばそのコメントの送信元であるユーザ端末１００のユーザＩＤに応じて、異なるフォントの種類や色により表示するようにしても良い。
【００５６】
また、端点情報記憶部３２０には、複数のパネルを構成する複数の端点情報を記憶させるようにしても良い。このとき、ユーザは、一度に複数のパネルのいずれか複数の端点に属するようにしても良い。
また、本発明は、例えば、震災時の臨時配信や、スポーツ観戦、将棋中継など、端点が表現できるあらゆる場合に適用することができる。
【００５７】
なお、本発明における処理部の機能を実現するためのプログラムをコンピュータ読み取り可能な記録媒体に記録して、この記録媒体に記録されたプログラムをコンピュータシステムに読み込ませ、実行することにより情報通信を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５９】
【図１】本発明の一実施形態による情報通信システムの構成を示す図である。
【図２】本発明の一実施形態によりユーザ端末に表示される画面例を示す図である。
【図３】本発明の一実施形態による情報通信システムの構成を示す図である。
【図４】本発明の一実施形態によるパネルの概念を示す図である。
【図５】本発明の一実施形態による交換サーバの端点情報記憶部に記憶されるデータ例を示す図である。
【図６】本発明の一実施形態による交換サーバのサーバ端点記憶部に記憶されるデータ例を示す図である。
【図７】本発明の一実施形態による接続サーバのユーザ端点記憶部に記憶されるデータ例を示す図である。
【図８】本発明の一実施形態による接続サーバの伝達強度値記憶部に記憶されるデータ例を示す図である。
【図９】本発明の一実施形態による接続サーバのコメント記憶部に記憶されるデータ例を示す図である。
【図１０】本発明の一実施形態による情報通信システムの動作例を示すシーケンス図である。
【図１１】本発明の一実施形態による情報通信システムの動作例を示すシーケンス図である。
【図１２】本発明の一実施形態による情報通信システムに演者を設ける場合の概念を示す図である。
【図１３】本発明の一実施形態による情報通信システムの適用例を示す図である。
【図１４】本発明の一実施形態による情報通信システムの適用例を示す図である。
【符号の説明】
【００６０】
１  情報通信システム
１００  ユーザ端末
１１０  入力部
１２０  送受信部
１３０  判定部
１４０  出力制御部
１５０  出力部
１６０  閾値記憶部
１７０  接続要求部
１８０  コメント送信部
２００  接続サーバ
２１０  ユーザ端点記憶部
２２０  対応端点割り当て部
２３０  伝達強度値記憶部
２４０  コメント記憶部
２５０  コメント送信部
２６０  送受信部
３００  交換サーバ
３１０  伝達強度値算出部
３２０  端点情報記憶部
３３０  送受信部
３４０  サーバ端点記憶部
３５０  伝達強度値送信部
４００  動画配信サーバ
５００  ネットワーク
【図１】
2010033164.tif 000003
【図２】
2010033164.tif 000004
【図３】
2010033164.tif 000005
【図４】
2010033164.tif 000006
【図５】
2010033164.tif 000007
【図６】
2010033164.tif 000008
【図７】
2010033164.tif 000009
【図８】
2010033164.tif 000010
【図９】
2010033164.tif 000011
【図１０】
2010033164.tif 000012
【図１１】
2010033164.tif 000013
【図１２】
2010033164.tif 000014
【図１３】
2010033164.tif 000015
【図１４】
2010033164.tif 000016